(57)【要約】  画像表示装置（２）は、画像を表示するための略長方形状の表示面（１０）を前面に有する装置本体（４）と、設置面（１２）に載置され、装置本体（４）を支持するスタンド（６）と、スタンド（６）に固定された支持部材（８）であって、装置本体（４）の背面上に配置され、装置本体（４）を回動軸（８０）周りに、表示面（１０）が横向きとなる横姿勢と表示面（１０）が縦向きとなる縦姿勢との間で回動可能に支持する支持部材（８）と、支持部材（８）に支持され、支持部材（８）を介して装置本体（４）の背面上に配置されたスピーカ（５４，５６）とを備える。スピーカ（５４，５６）は、設置面（１２）に向けて音声を出力するように配置されている。
2019167590.tif 000002
【特許請求の範囲】
【請求項１】
画像を表示するための略長方形状の表示面を前面に有する装置本体と、
設置面に載置され、前記装置本体を支持するスタンドと、
前記スタンドに固定された支持部材であって、前記装置本体の背面上に配置され、前記装置本体を回動軸周りに、前記表示面が横向きとなる横姿勢と前記表示面が縦向きとなる縦姿勢との間で回動可能に支持する支持部材と、
前記支持部材に支持され、前記支持部材を介して前記装置本体の前記背面上に配置されたスピーカと、を備え、
前記スピーカは、前記設置面に向けて音声を出力するように配置されている、
画像表示装置。
【請求項２】
前記装置本体の前記表示面は、鉛直方向に対して傾斜して配置されている、
請求項１に記載の画像表示装置。
【請求項３】
前記スピーカは一対設けられ、
前記一対のスピーカの各々は、鉛直方向に対して傾斜して配置され、且つ、前記設置面に向けて音声を出力する放音面を有しており、
前記一対のスピーカの各々の前記放音面からの音声は、左右方向において、互いに反対方向に且つ斜め下方に向けて出力される、
請求項２に記載の画像表示装置。
【請求項４】
前記一対のスピーカは、前記回動軸に対して左右対称な位置に配置されている、
請求項３に記載の画像表示装置。
【請求項５】
前記装置本体は、前記装置本体の四辺にそれぞれ設けられ、前記装置本体の内部の空気を排出する排気孔を有する、
請求項１に記載の画像表示装置。
【請求項６】
前記支持部材は、前記支持部材の側壁部の下端部に配置された外部機器接続端子を有し、
前記外部機器接続端子は、前記設置面に向けて前記外部機器接続端子に接続されたケーブルが保持されるように、下向きに配置される、
請求項１に記載の画像表示装置。
【請求項７】
前記支持部材は、
前記支持部材の側壁部の下端部に配置され、電源コードを外部に繰り出すためのコード用孔と、
前記支持部材の内部に配置され、前記電源コードを巻き取るコードリールと、を有し、
前記コード用孔は、前記設置面に向けて前記電源コードが繰り出すように、下向きに配置される、
請求項１に記載の画像表示装置。
【請求項８】
前記支持部材は、前記支持部材の背面側に配置され、ユーザの持ち手となる凹部を有する、
請求項１に記載の画像表示装置。
【請求項９】
前記画像表示装置は、さらに、
前記装置本体の内部に配置された回路基板と、
前記スピーカと前記回路基板とを電気的に接続する電線と、を備え、
前記支持部材は、前記スタンドに固定された支持プレートであって、前記スピーカ及び前記回動軸を支持し、前記電線を挿通するための孔が形成された支持プレートを有する、
請求項１に記載の画像表示装置。
【発明の詳細な説明】
【技術分野】
【０００１】
本開示は、スタンドに対して装置本体を回動可能な画像表示装置に関する。
【背景技術】
【０００２】
特許文献１は、スタンドに対して装置本体を回動可能な、いわゆる回動型の画像表示装置を開示する。この種の画像表示装置は、前面に略長方形状の表示面を有するパネル状の装置本体と、装置本体を回動可能に支持するスタンドと、装置本体に配置されたスピーカとを備えている。装置本体は、スタンドに対して、表示面が横向きとなる横姿勢と、表示面が縦向きとなる縦姿勢との間を回動する。
【先行技術文献】
【特許文献】
【０００３】
【特許文献１】特開２００３−６６９３４号公報
【発明の概要】
【発明が解決しようとする課題】
【０００４】
本開示は、装置本体を回動させた場合であっても、スピーカからの音声の聞こえ方が変化するのを抑制することができる画像表示装置を提供する。
【課題を解決するための手段】
【０００５】
本開示における画像表示装置は、画像を表示するための略長方形状の表示面を前面に有する装置本体と、設置面に載置され、装置本体を支持するスタンドと、スタンドに固定された支持部材であって、装置本体の背面上に配置され、装置本体を回動軸周りに、表示面が横向きとなる横姿勢と表示面が縦向きとなる縦姿勢との間で回動可能に支持する支持部材と、支持部材に支持され、支持部材を介して装置本体の背面上に配置されたスピーカと、を備え、スピーカは、設置面に向けて音声を出力するように配置されている。
【発明の効果】
【０００６】
本開示における画像表示装置によれば、装置本体を回動させた場合であっても、スピーカからの音声の聞こえ方が変化するのを抑制することができる。
【図面の簡単な説明】
【０００７】
【図１】図１は、実施の形態に係る画像表示装置の正面側を示す斜視図である。
【図２】図２は、図１に示す状態から装置本体を９０°回動させた状態での、実施の形態に係る画像表示装置の正面側を示す斜視図である。
【図３】図３は、実施の形態に係る画像表示装置の背面側を示す斜視図である。
【図４】図４は、実施の形態に係る画像表示装置の側面を示す図である。
【図５】図５は、実施の形態に係る画像表示装置の底面を示す図である。
【図６】図６は、実施の形態に係る画像表示装置を分解して示す分解斜視図である。
【図７】図７は、バックカバー及びカバー部材を省略した状態での、実施の形態に係る画像表示装置の背面側を示す図である。
【図８】図８は、実施の形態に係る支持部材の回動機構を抜き出して示す斜視図である。
【図９】図９は、カバー部材を省略した状態での、実施の形態に係る画像表示装置の背面側を示す図である。
【発明を実施するための形態】
【０００８】
本発明者らは、「背景技術」の欄において記載した技術に関し、以下の問題が生じることを見出した。
【０００９】
特許文献１の画像表示装置では、スピーカは、例えば装置本体が横姿勢である状態で、装置本体の下辺（長辺）に沿って配置されている。そのため、装置本体を横姿勢から縦姿勢に回動した際には、スピーカは、装置本体の左右いずれかの長辺に沿って配置されるようになる。その結果、装置本体を回動する前後で、ユーザとスピーカとの間の位置関係が変化し、ユーザにとってスピーカからの音声の聞こえ方が変化するという問題が生じる。
【００１０】
本開示は、このような知見に基づいてなされたものであり、本発明者らが鋭意検討した結果、装置本体を回動させた場合であっても、スピーカからの音声の聞こえ方が変化するのを抑制することができる画像表示装置についての着想を得た。
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者らは、当業者が本開示を十分に理解するために添付図面及び以下の説明を提供するのであって、これらによって請求の範囲に記載の主題を限定することを意図するものではない。
【００１３】
（実施の形態）
以下、図１〜図９を参照しながら、実施の形態について説明する。
【００１４】
［１．画像表示装置の全体構成］
まず、図１〜図５を参照しながら、実施の形態に係る画像表示装置２の全体構成について説明する。図１は、実施の形態に係る画像表示装置２の正面側を示す斜視図である。図２は、図１に示す状態から装置本体４を９０°回動させた状態での、実施の形態に係る画像表示装置２の正面側を示す斜視図である。図３は、実施の形態に係る画像表示装置２の背面側を示す斜視図である。図４は、実施の形態に係る画像表示装置２の側面を示す図である。図５は、実施の形態に係る画像表示装置２の底面を示す図である。
【００１５】
図１〜図５に示すように、画像表示装置２は、例えば回動型の液晶テレビジョン受像機である。画像表示装置２は、装置本体４と、スタンド６と、支持部材８とを備えている。
【００１６】
図１〜図５に示すように、装置本体４は、画像を表示するためのものであり、ＸＺ平面視で略長方形状のパネル状に形成されている。図１及び図２に示すように、装置本体４の前面には、ＸＺ平面視で略長方形状の表示面１０が配置されている。なお、「略長方形状」とは、厳密な意味での長方形状だけでなく、四隅が丸い長方形状（いわゆる角丸長方形状）及び四辺が湾曲した長方形状等をも含む趣旨である。
【００１７】
図１〜図５に示すように、スタンド６は、装置本体４を下方から支持するためのものであり、設置面１２（図４参照）に載置される。
【００１８】
図３〜図５に示すように、支持部材８は、装置本体４を回動可能に支持するためのものである。支持部材８は、スタンド６の上端部に固定されており、装置本体４の背面（表示面１０と反対側の面）上に配置されている。これにより、装置本体４は、図１に示すように表示面１０が横向きとなる横姿勢と、図２に示すように表示面１０が縦向きとなる縦姿勢との間を９０°回動することができる。すなわち、図１の矢印１４で示すように、横姿勢の装置本体４を図１において時計方向に９０°回動させることにより、装置本体４は横姿勢から縦姿勢に変位する。一方、図２の矢印１６で示すように、縦姿勢の装置本体４を図２において反時計方向に９０°回動させることにより、装置本体４は縦姿勢から横姿勢に変位する。
【００１９】
なお、「表示面１０が横向き」とは、表示面１０の長辺が水平方向（Ｘ軸方向）と略平行になり、且つ、表示面１０の短辺が鉛直方向（Ｚ軸方向）と略平行になることを意味する。一方、「表示面１０が縦向き」とは、表示面１０の長辺が鉛直方向と略平行になり、且つ、表示面１０の短辺が水平方向と略平行になることを意味する。
【００２０】
ユーザは、用途等に応じて装置本体４を適宜回動させることにより、装置本体４に横姿勢及び縦姿勢のいずれかの姿勢を取らせることができる。例えば、ユーザは、テレビ番組等を視聴する際には、装置本体４を横姿勢にさせる。また例えば、ユーザは、スマートフォン等の画面を表示面１０に表示させる際には、装置本体４を縦姿勢にさせる。
【００２１】
［２．装置本体の構成］
次に、図１〜図７を参照しながら、装置本体４の構成について説明する。図６は、実施の形態に係る画像表示装置２を分解して示す分解斜視図である。図７は、バックカバー２４及びカバー部材５２を省略した状態での、実施の形態に係る画像表示装置２の背面側を示す図である。
【００２２】
図１〜図７に示すように、装置本体４は、表示パネル１８と、バックライト（図示せず）と、ベゼル２０と、ベースプレート２２と、バックカバー２４とを有している。
【００２３】
図１及び図２に示すように、表示パネル１８は、複数のガラス板の間に液晶が封入された、いわゆる液晶セルである。表示パネル１８は、ＸＺ平面視で略長方形状のパネル状に形成されている。表示パネル１８の前面には、画像を表示するための表示面１０が形成されている。
【００２４】
バックライトは、例えばエッジライト型のバックライトであり、表示パネル１８の背面（表示面１０と反対側の面）に向けて光を照射する。なお、バックライトは、エッジライト型のバックライトに限定されず、例えば直下型のバックライト等であってもよい。
【００２５】
図１及び図２に示すように、ベゼル２０は、表示パネル１８の外周部を保護するための略長方形状の枠体である。ベゼル２０は、表示パネル１８の外周部を覆うように配置されている。なお、ベゼル２０は、例えばポリカーボネート等の樹脂で形成されている。
【００２６】
図６及び図７に示すように、ベースプレート２２は、バックライト等を支持するための部材であり、下フレームとも称される。ベースプレート２２は、ＸＺ平面視で略長方形状に形成されており、例えば鋼板等の板金をプレス加工することにより形成されている。ベースプレート２２の背面の中央部には、ネジ９０を捻じ込むための複数のネジ孔２６が形成されている。また、ベースプレート２２には、画像表示装置２の軽量化を図るための複数の貫通孔２８が形成されている。
【００２７】
ベースプレート２２の前面には、表示パネル１８及びバックライト等が支持されている。また、図６及び図７に示すように、ベースプレート２２の背面には、電源基板３０及び制御基板３２（回路基板の一例）等が支持されている。電源基板３０には、例えば表示パネル１８及びバックライト等に供給するための電力を生成するための電源回路が実装されている。電源基板３０には、例えばコンデンサ及び抵抗素子等の、電源回路を構成するための複数の電子部品が実装されている。制御基板３２には、例えば表示パネル１８、バックライト、一対のスピーカ５４及び５６（後述する）等を制御するための制御回路が実装されている。制御基板３２には、例えばＩＣ（Ｉｎｔｅｇｒａｔｅｄ  Ｃｉｒｃｕｉｔ）及びジャイロセンサ等の、制御回路を構成するための複数の電子部品が実装されている。なお、説明の都合上、図６及び図７では、電源基板３０及び制御基板３２の複数の電子部品の図示を省略してある。
【００２８】
図３及び図６に示すように、バックカバー２４は、ベースプレート２２の背面を覆うようにして配置され、装置本体４の背面を構成する。図６に示すように、バックカバー２４の中央部には、ベースプレート２２の中央部を露出させるための円形状の開口部３４が形成されている。なお、バックカバー２４は、例えばポリカーボネート等の樹脂で形成されている。
【００２９】
また、バックカバー２４の四辺にはそれぞれ、排気孔群３６ａ，３６ｂ，３６ｃ及び３６ｄが形成されている。排気孔群３６ａ及び３６ｃはそれぞれ、バックカバー２４の一対の長辺に沿って間隔を置いて配置された複数の排気孔を有している。排気孔群３６ｂ及び３６ｄはそれぞれ、バックカバー２４の一対の短辺に沿って間隔を置いて配置された複数の排気孔を有している。図３に示すように、装置本体４が横姿勢である状態では、装置本体４の外部の空気が下側の排気孔群３６ｃから吸入され、装置本体４の内部の空気が上側の排気孔群３６ａから排出される。一方、後述する図９に示すように、装置本体４が縦姿勢である状態では、装置本体４の外部の空気が下側の排気孔群３６ｄから吸入され、装置本体４の内部の空気が上側の排気孔群３６ｂから排出される。
【００３０】
［３．スタンドの構成］
次に、図１〜図７を参照しながら、スタンド６の構成について説明する。
【００３１】
図１〜図５に示すように、スタンド６は、ベース部３８と、一対の支柱部４０及び４２とを有している。ベース部３８は、略コの字形状に形成されており、設置面１２（図４参照）に載置される。一対の支柱部４０及び４２はそれぞれ、ベース部３８の両端部から上方（Ｚ軸のプラス方向）に延びている。図６及び図７に示すように、一対の支柱部４０及び４２の各上端部はそれぞれ、ネジ４４及び４６で支持部材８の支持プレート４８（後述する）の背面における外周部に固定されている。なお、スタンド６は、例えば鉄又はアルミニウム等で形成された金属パイプを折り曲げることにより形成されている。
【００３２】
図４に示すように、一対の支柱部４０及び４２の各々は、略Ｖ字状に屈曲しながら延びている。これにより、装置本体４の表示面１０は、鉛直方向に対して所定角度θ（例えば約４°）だけ後方（Ｙ軸のマイナス方向）に傾斜するように配置されている。すなわち、装置本体４の表示面１０は、やや斜め上方を向くように配置されている。
【００３３】
［４．支持部材の構成］
次に、図３〜図８を参照しながら、支持部材８の構成について説明する。図８は、実施の形態に係る支持部材８の回動機構５０を抜き出して示す斜視図である。
【００３４】
図６に示すように、支持部材８は、支持プレート４８と、回動機構５０と、カバー部材５２とを有している。
【００３５】
図６及び図７に示すように、支持プレート４８は、一対のスピーカ５４及び５６等を支持するためのものであり、ＸＺ平面視で円形状のプレート状に形成されている。図７に示すように、支持プレート４８の径方向における中央部には、円形状の孔５８が形成されている。図６に示すように、支持プレート４８の孔５８（図７参照）の周囲には、ネジ６０を挿通するための複数の挿通孔６２が形成されている。また、支持プレート４８の背面には、例えば金属の削り出し加工等により補強用突部６４が形成されている。支持プレート４８は、装置本体４のバックカバー２４の開口部３４に配置され、回動機構５０を介してベースプレート２２の背面に回動可能に支持されている。また、支持プレート４８は、一対の支柱部４０及び４２の各上端部にそれぞれネジ４４及び４６で固定されている。なお、支持プレート４８は、例えば鋼板等の板金をプレス加工することにより形成されている。
【００３６】
図７に示すように、支持プレート４８の背面には、一対のスピーカ５４及び５６、コードリール６６、並びに、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）（登録商標）端子６８（外部機器接続端子の一例）が支持されている。
【００３７】
一対のスピーカ５４及び５６は、例えばステレオ音声を出力するための２チャンネルのステレオスピーカである。一対のスピーカ５４及び５６はそれぞれ、音声を出力するための放音面５４ａ及び５６ａを有している。スピーカ５４の放音面５４ａは右用の音声を出力し、スピーカ５６の放音面５６ａは左用の音声を出力する。一対のスピーカ５４及び５６はそれぞれ、一対の電線７０及び７２を介して制御基板３２と電気的に接続されている。一対のスピーカ５４及び５６の配置については後述する。
【００３８】
コードリール６６は、電源基板３０と電気的に接続された電源コード７４を、巻き取り及び繰り出し可能に収納するためのものである。画像表示装置２を使用する際には、電源コード７４をコードリール６６から繰り出して、電源コード７４のプラグ７６を室内に設置されたコンセント等に差し込む。画像表示装置２を使用しない際には、電源コード７４をコードリール６６の内部に巻き取り収納することができる。
【００３９】
ＨＤＭＩ（登録商標）端子６８は、ＨＤＭＩ（登録商標）ケーブル（図示せず）を差し込むための接続端子であり、制御基板３２と電気的に接続されている。画像表示装置２は、ＨＤＭＩ（登録商標）端子６８に差し込まれたＨＤＭＩ（登録商標）ケーブル７７（ケーブルの一例）を介して、例えばスマートフォン又はＢＤ（Ｂｌｕ−ｒａｙ（登録商標）  Ｄｉｓｃ）プレーヤ等の外部機器（図示せず）と電気的に接続される。なお、ＨＤＭＩ（登録商標）端子６８は、設置面１２（図３参照）に向けてＨＤＭＩ（登録商標）端子６８に差し込まれたＨＤＭＩ（登録商標）ケーブル７７が保持されるように、下向き（Ｚ軸のマイナス方向）に配置されている。
【００４０】
回動機構５０は、装置本体４と支持プレート４８とを回動可能に連結するための機構である。図７及び図８に示すように、回動機構５０は、固定プレート７８と、回動軸８０と、可動プレート８２とを有している。
【００４１】
図８に示すように、固定プレート７８は、略十字形状に形成されている。固定プレート７８の各角部には、ネジ６０を捻じ込むためのネジ孔８４が形成されている。図６に示すように、ネジ６０を支持プレート４８の挿通孔６２を通して固定プレート７８のネジ孔８４に捻じ込むことにより、固定プレート７８が支持プレート４８の前面に固定される。図８に示すように、固定プレート７８には、スタンド６に対する装置本体４の回動角度範囲を９０°に規制するための規制用スリット８６が形成されている。規制用スリット８６は、回動軸８０を中心に円弧状に形成されている。また、固定プレート７８には、一対の電線７０及び７２を挿通するための挿通用スリット８８が形成されている。挿通用スリット８８は、回動軸８０を中心に円弧状に形成されている。
【００４２】
回動軸８０は、固定プレート７８の中央部に固定されている。図７に示すように、回動軸８０は、支持プレート４８の径方向における中央部に配置され、Ｙ軸方向に延びている。
【００４３】
図８に示すように、可動プレート８２は、回動軸８０に回動可能に支持され、固定プレート７８に対向して配置されている。可動プレート８２は、略十字形状に形成されている。可動プレート８２の各角部には、ネジ９０を挿通するための挿通孔９２が形成されている。図６に示すように、ネジ９０を可動プレート８２の挿通孔９２を通してベースプレート２２のネジ孔２６に捻じ込むことにより、可動プレート８２がベースプレート２２の背面に固定される。
【００４４】
図８に示すように、可動プレート８２には、スタンド６に対する装置本体４の回動角度範囲を９０°に規制するための規制用突部９４が形成されている。規制用突部９４は、固定プレート７８の規制用スリット８６に移動可能に挿通されている。可動プレート８２が固定プレート７８に対して回動した際には、規制用突部９４は規制用スリット８６に沿って移動する。この時、規制用突部９４の移動範囲が規制用スリット８６により拘束されるので、固定プレート７８に対する可動プレート８２の回動角度範囲が９０°に規制される。
【００４５】
また、可動プレート８２には、一対の電線７０及び７２を挿通するための挿通用スリット９６が形成されている。挿通用スリット９６は、回動軸８０を中心に円弧状に形成されている。可動プレート８２の挿通用スリット９６は、固定プレート７８に対する可動プレート８２の回動角度位置に拘らず、固定プレート７８の挿通用スリット８８の少なくとも一部と常に重なり合っている。また、図７に示すように、固定プレート７８の挿通用スリット８８及び可動プレート８２の挿通用スリット９６は、支持プレート４８の孔５８と重なり合っている。これにより、一対の電線７０及び７２は、支持プレート４８の孔５８、固定プレート７８の挿通用スリット８８及び可動プレート８２の挿通用スリット９６に挿通されるように配置される。
【００４６】
上述した回動機構５０により、装置本体４は、スタンド６に対して、回動軸８０周りに横姿勢と縦姿勢との間を回動することができる。この時、上述した規制用突部９４及び規制用スリット８６により、スタンド６に対する装置本体４の回動角度範囲が９０°に規制される。なお、回動機構５０は、装置本体４を横姿勢及び縦姿勢でそれぞれ保持するためのストッパ機構を有していてもよい。
【００４７】
図３及び図４に示すように、カバー部材５２は、ＸＺ平面視で円形状に形成され、支持プレート４８（図６参照）を覆うようにしてバックカバー２４の開口部３４の周縁部に取り付けられている。カバー部材５２は、円板状の本体部９８と、本体部９８の周縁部に形成された円筒状の側壁部１００とを有している。なお、カバー部材５２は、例えばポリカーボネート等の樹脂で形成されている。
【００４８】
本体部９８（すなわち、支持部材８の背面側）には、取っ手用の凹部１０２が形成されている。凹部１０２の上側面は、支持プレート４８の補強用突部６４に沿って配置されている。これにより、凹部１０２の強度を高めることができるので、例えばユーザが手指を凹部１０２に引っ掛けた際に、カバー部材５２が破損するのを抑制することができる。
【００４９】
図５に示すように、側壁部１００には、一対のスピーカ５４及び５６からの音声をそれぞれ支持部材８の外部に放出するための一対の放音孔群１０４及び１０６が形成されている。一対の放音孔群１０４及び１０６はそれぞれ、一対のスピーカ５４及び５６に対向するように配置されている。一対の放音孔群１０４及び１０６の各々は、側壁部１００の周方向に沿って間隔を置いて配置された複数の放音孔を有している。
【００５０】
また、図５に示すように、側壁部１００の下端部には、電源コード７４を外部に繰り出すためのコード用孔１０８、及び、ＨＤＭＩ（登録商標）端子６８を外部に露出させるための端子用孔１１０が形成されている。なお、コード用孔１０８は、設置面１２（図３参照）に向けて電源コード７４が繰り出すように、下向きに配置されている。さらに、図６に示すように、側壁部１００には、スタンド６の一対の支柱部４０及び４２の各上端部をそれぞれ逃がすための一対の切り欠き部１１２が形成されている。なお、図６では、一対の切り欠き部１１２のうち一方のみを図示してある。
【００５１】
［５．スピーカの配置］
次に、図４、図７及び図９を参照しながら、一対のスピーカ５４及び５６の配置について説明する。図９は、カバー部材５２を省略した状態での、実施の形態に係る画像表示装置２の背面側を示す図である。
【００５２】
図７に示すように、一対のスピーカ５４及び５６は、回動軸８０に対して左右対称な位置に固定されている。なお、「左右対称」とは、左右方向（Ｘ軸方向）における対称性を意味し、必ずしも完全な対称である必要は無く、公差等の誤差程度での完全な対称からのずれは許容される。また、「左右方向」とは、装置本体４の表示面１０を正面視した場合に、設置面１２に対して略平行な方向を意味する。
【００５３】
また、一対のスピーカ５４及び５６の各々は、設置面１２に向けて音声を出力するように配置されている。具体的には、図７に示すように、スピーカ５４の放音面５４ａ及びスピーカ５６の放音面５６ａは、鉛直方向に対して約４５°傾斜している。これにより、図９の矢印１１４で示すように、一対のスピーカ５４及び５６の各々からの音声は、左右方向（Ｘ軸方向）において、互いに反対方向に且つ斜め下方に向けて出力される。
【００５４】
図９に示すように、一対のスピーカ５４及び５６は、スタンド６に固定された支持プレート４８に配置されている。そのため、例えば装置本体４がスタンド６に対して回動した場合であっても、ユーザと一対のスピーカ５４及び５６との位置関係は変化しない。その結果、ユーザにとって一対のスピーカ５４及び５６からの音声の聞こえ方は変化しない。
【００５５】
また、上述したように、装置本体４の表示面１０は鉛直方向に対して所定角度θだけ後方に傾斜しているので、図４の矢印１１６で示すように、一対のスピーカ５４及び５６の各々からの音声は、前後方向（Ｙ軸方向）において、前方（Ｙ軸のプラス方向）に且つ斜め下方に向けて出力される。これにより、一対のスピーカ５４及び５６の各々からの音声は、設置面１２で反射した後に、ユーザに向けて伝達される。
【００５６】
［６．効果］
本実施の形態では、画像表示装置２は、画像を表示するための略長方形状の表示面１０を前面に有する装置本体４と、設置面１２に載置され、装置本体４を支持するスタンド６と、スタンド６に固定された支持部材８であって、装置本体４の背面上に配置され、装置本体４を回動軸８０周りに、表示面１０が横向きとなる横姿勢と表示面１０が縦向きとなる縦姿勢との間で回動可能に支持する支持部材８と、支持部材８に支持され、支持部材８を介して装置本体４の背面上に配置されたスピーカ５４（５６）とを備える。スピーカ５４（５６）は、設置面１２に向けて音声を出力するように配置されている。
【００５７】
これにより、スピーカ５４（５６）は、スタンド６に固定された支持部材８に配置されているので、装置本体４がスタンド６に対して回動した場合であっても、ユーザとスピーカ５４（５６）との位置関係は変化しない。その結果、ユーザにとってスピーカ５４（５６）からの音声の聞こえ方が変化するのを抑制することができる。また、スピーカ５４（５６）は、支持部材８を介して装置本体４の背面上に配置されているので、画像表示装置２を正面から見た場合に、スピーカ５４（５６）がユーザの視界に入ることが無く、画像表示装置２の外観をコンパクトに且つシンプルにすることができる。また、スピーカ５４（５６）は、設置面１２に向けて音声を出力するように配置されているので、スピーカ５４（５６）からの音声は、設置面１２で反射した後に、ユーザに向けて伝達するようになる。その結果、スピーカ５４（５６）からの音声をユーザに向けて効率良く伝達することができる。
【００５８】
また、本実施の形態において、装置本体４の表示面１０は、鉛直方向に対して傾斜して配置されている。
【００５９】
これにより、スピーカ５４（５６）からの音声は、設置面１２で反射した後に、ユーザに向けて伝達し易くなる。その結果、スピーカ５４（５６）からの音声をユーザに向けてより一層効率良く伝達することができる。
【００６０】
また、本実施の形態において、一対のスピーカ５４及び５６が設けられている。一対のスピーカ５４及び５６の各々は、鉛直方向に対して傾斜して配置され、且つ、設置面１２に向けて音声を出力する放音面５４ａ及び５６ａを有している。一対のスピーカ５４及び５６の各々の放音面５４ａ及び５６ａからの音声は、左右方向において、互いに反対方向に且つ斜め下方に向けて出力される。
【００６１】
これにより、一対のスピーカ５４及び５６からの音声をユーザに向けてより一層効率良く伝達することができる。
【００６２】
また、本実施の形態において、一対のスピーカ５４及び５６は、回動軸８０に対して左右対称な位置に配置されている。
【００６３】
これにより、一対のスピーカ５４及び５６の各々からの音声を、左右のバランスよくユーザに向けて伝達することができる。
【００６４】
また、本実施の形態において、装置本体４は、装置本体４の四辺にそれぞれ設けられ、装置本体４の内部の空気を排出する排気孔群３６ａ，３６ｂ，３６ｃ，３６ｄを有する。
【００６５】
これにより、装置本体４が横姿勢である状態では、装置本体４の外部の空気が下側の排気孔群３６ｃから吸入され、装置本体４の内部の空気が上側の排気孔群３６ａから排出される。一方、装置本体４が縦姿勢である状態では、装置本体４の外部の空気が下側の排気孔群３６ｄから吸入され、装置本体４の内部の空気が上側の排気孔群３６ｂから排出される。その結果、装置本体４を横姿勢及び縦姿勢のいずれの姿勢に保持させた場合であっても、装置本体４の内部の空気を効率良く排出することができる。
【００６６】
また、本実施の形態において、支持部材８は、支持部材８の側壁部１００の下端部に配置されたＨＤＭＩ（登録商標）端子６８を有する。ＨＤＭＩ（登録商標）端子６８は、設置面１２に向けてＨＤＭＩ（登録商標）端子６８に接続されたＨＤＭＩ（登録商標）ケーブル７７が保持されるように、下向きに配置される。
【００６７】
これにより、ＨＤＭＩ（登録商標）ケーブル７７の引き回しを容易に行うことができる。
【００６８】
また、本実施の形態において、支持部材８は、支持部材８の側壁部１００の下端部に配置され、電源コード７４を外部に繰り出すためのコード用孔１０８と、支持部材８の内部に配置され、電源コード７４を巻き取るコードリール６６とを有している。コード用孔１０８は、設置面１２に向けて電源コード７４が繰り出すように、下向きに配置される。
【００６９】
これにより、電源コード７４の引き回しを容易に行うことができる。
【００７０】
また、本実施の形態において、支持部材８は、支持部材８の背面側に配置され、ユーザの持ち手となる凹部１０２を有する。
【００７１】
これにより、ユーザは、例えば手指等を凹部１０２に引っ掛けることにより、画像表示装置２を容易に持ち運ぶことができる。
【００７２】
また、本実施の形態において、画像表示装置２は、さらに、装置本体４の内部に配置された制御基板３２と、スピーカ５４（５６）と制御基板３２とを電気的に接続する電線７０（７２）とを備えている。支持部材８は、スタンド６に固定された支持プレート４８であって、スピーカ５４（５６）及び回動軸８０を支持し、電線７０（７２）を挿通するための孔５８が形成された支持プレート４８を有する。
【００７３】
これにより、装置本体４がスタンド６に対して回動した場合であっても、電線７０（７２）の配線状態を良好に保つことができる。
【００７４】
（変形例等）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【００７５】
そこで、以下、他の実施の形態を例示する。
【００７６】
上記実施の形態では、画像表示装置２を液晶テレビジョン受像機で構成したが、これに限定されず、例えばパーソナルコンピュータ用の液晶モニタ等で構成してもよい。あるいは、画像表示装置２を例えば有機ＥＬ（Ｅｌｅｃｔｒｏ  Ｌｕｍｉｎｅｓｃｅｎｃｅ）モニタ等で構成してもよい。
【００７７】
上記実施の形態では、支持部材８に一対のスピーカ５４及び５６を配置したが、これに限定されず、例えば１個のスピーカのみを配置してもよく、あるいは、３個以上のスピーカを配置してもよい。
【００７８】
また、上記実施の形態では、スタンド６に対する装置本体４の回動角度範囲を９０°に規制したが、これに限定されず、例えば回動角度範囲を１８０°に規制してもよい。
【００７９】
また、上記実施の形態では、支持プレート４８は、板金をプレス加工することにより形成したが、削り出し加工することにより形成されてもよい。
【００８０】
以上のように、本開示における技術の例示として、実施の形態を説明した。そのために、添付図面及び詳細な説明を提供した。
【００８１】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８２】
また、上述の実施の形態は、本開示における技術を例示するためのものであるから、請求の範囲又はその均等の範囲において種々の変更、置き換え、付加、省略などを行うことができる。
【産業上の利用可能性】
【００８３】
本開示の画像表示装置は、例えば回動型の液晶テレビジョン受像機等に適用可能である。
【符号の説明】
【００８４】
２  画像表示装置
４  装置本体
６  スタンド
８  支持部材
１０  表示面
１２  設置面
１４，１６，１１４，１１６  矢印
１８  表示パネル
２０  ベゼル
２２  ベースプレート
２４  バックカバー
２６，８４  ネジ孔
２８  貫通孔
３０  電源基板
３２  制御基板
３４  開口部
３６ａ，３６ｂ，３６ｃ，３６ｄ  排気孔群
３８  ベース部
４０，４２  支柱部
４４，４６，６０，９０  ネジ
４８  支持プレート
５０  回動機構
５２  カバー部材
５４，５６  スピーカ
５４ａ，５６ａ  放音面
５８  孔
６２，９２  挿通孔
６４  補強用突部
６６  コードリール
６８  ＨＤＭＩ（登録商標）端子
７０，７２  電線
７４  電源コード
７６  プラグ
７７  ＨＤＭＩ（登録商標）ケーブル
７８  固定プレート
８０  回動軸
８２  可動プレート
８６  規制用スリット
８８，９６  挿通用スリット
９４  規制用突部
９８  本体部
１００  側壁部
１０２  凹部
１０４，１０６  放音孔群
１０８  コード用孔
１１０  端子用孔
１１２  切り欠き部
【図１】
2019167590.tif 000003
【図２】
2019167590.tif 000004
【図３】
2019167590.tif 000005
【図４】
2019167590.tif 000006
【図５】
2019167590.tif 000007
【図６】
2019167590.tif 000008
【図７】
2019167590.tif 000009
【図８】
2019167590.tif 000010
【図９】
2019167590.tif 000011
【国際調査報告】
2019167590.tif 000012
2019167590.tif 000013
2019167590.tif 000014
2019167590.tif 000015